【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
コンピュータネットワークと接続された文書出力装置であって、
前記コンピュータネットワーク上の所望のウェブページアドレスを設定するアドレス設定手段と、
前記アドレス設定手段で設定されたアドレスのウェブページを取得するための周期を、予め用意された互いに異なる周期の複数の周期情報の中から選択する選択手段と、
前記選択手段で選択された周期情報に応じた周期で前記アドレス設定手段において設定されたアドレスのウェブページを取り込む取込手段と、
前記取込手段で取り込んだウェブページを印刷出力する出力手段とを備えることを特徴とする文書出力装置。
【請求項２】
前記取込手段は、既に取り込み済みのウェブページの更新日時と前記選択手段で選択された周期情報に基づき取り込むべきウェブページの更新日時とを比較し、新しい場合に当該ウェブページの取り込みを実行することを特徴とする請求項１に記載の文書出力装置。
【請求項３】
前記ウェブページは、ＨＴＭＬ（Ｈｙｐｅｒ Ｔｅｘｔ Ｍａｒｋｕｐ Ｌａｎｇｕａｇｅ）形式であることを特徴とする請求項１または２に記載の文書出力装置。
【請求項４】
前記周期情報は、「毎月」、「毎週」、「毎日」のいずれかを含むことを特徴とする請求項１乃至３のいずれかに記載の文書出力装置。
【請求項５】
コンピュータネットワークと接続された文書出力装置であって、
前記コンピュータネットワーク上の所望のウェブページアドレスを設定するアドレス設定手段と、
前記アドレス設定手段で設定されたアドレスのウェブページを取得するための周期情報を設定する周期設定手段と、
前記周期設定手段で設定された周期情報に応じた周期で前記アドレス設定手段において設定されたアドレスのウェブページを取り込む取込手段と、
前記取込手段でウェブページを取り込むごとに追加しつつ蓄積する蓄積手段と、
前記蓄積手段で蓄積したウェブページのうち、所望のタイミングで取り込んだウェブページを選択する選択手段と、
前記選択手段で選択されたウェブページを印刷出力する出力手段とを備えることを特徴とする文書出力装置。
【請求項６】
前記蓄積手段は、予め設定された世代数分、前記取込手段で取り込んだウェブページを順次蓄積し、設定された世代数を超えると古いウェブページから削除することを特徴とする請求項５に記載の文書出力装置。
【請求項７】
前記取込手段は、既に取り込み済みのウェブページの更新日時と前記周期設定手段で設定された周期情報に基づき取り込むべきウェブページの更新日時とを比較し、新しい場合に当該ウェブページの取り込みを実行することを特徴とする請求項５または６に記載の文書出力装置。
【請求項８】
前記ウェブページは、ＨＴＭＬ（Ｈｙｐｅｒ Ｔｅｘｔ Ｍａｒｋｕｐ Ｌａｎｇｕａｇｅ）形式であることを特徴とする請求項５乃至７のいずれかに記載の文書出力装置。
【請求項９】
コンピュータネットワークと接続された文書出力装置の制御方法であって、
前記コンピュータネットワーク上の所望のウェブページアドレスを設定するアドレス設定工程と、
前記アドレス設定工程で設定されたアドレスのウェブページを取得するための周期を、予め用意された互いに異なる周期の複数の周期情報の中から選択する選択工程と、
前記選択工程で選択された周期情報に応じた周期で前記アドレス設定工程において設定されたアドレスのウェブページを取り込む取込工程と、
前記取込手段で取り込んだウェブページを印刷出力する出力工程とを備えることを特徴とする文書出力装置の制御方法。
【請求項１０】
前記取込工程は、既に取り込み済みのウェブページの更新日時と前記選択工程で選択された周期情報に基づき取り込むべきウェブページの更新日時とを比較し、新しい場合に当該ウェブページの取り込みを実行することを特徴とする請求項９に記載の文書出力装置の制御方法。
【請求項１１】
前記ウェブページは、ＨＴＭＬ（Ｈｙｐｅｒ Ｔｅｘｔ Ｍａｒｋｕｐ Ｌａｎｇｕａｇｅ）形式であることを特徴とする請求項９または１０に記載の文書出力装置の制御方法。
【請求項１２】
前記周期情報は、「毎月」、「毎週」、「毎日」のいずれかを含むことを特徴とする請求項９乃至１１のいずれかに記載の文書出力装置の制御方法。
【請求項１３】
コンピュータネットワークと接続された文書出力装置の制御方法であって、
前記コンピュータネットワーク上の所望のウェブページアドレスを設定するアドレス設定工程と、
前記アドレス設定工程で設定されたアドレスのウェブページを取得するための周期情報を設定する周期設定工程と、
前記周期設定工程で設定された周期情報に応じた周期で前記アドレス設定工程において設定されたアドレスのウェブページを取り込む取込工程と、
前記取込工程でウェブページを取り込むごとに追加しつつ蓄積する蓄積工程と、
前記蓄積工程で蓄積したウェブページのうち、所望のタイミングで取り込んだウェブページを選択する選択工程と、
前記選択工程で選択されたウェブページを印刷出力する出力工程とを備えることを特徴とする文書出力装置の制御方法。
【請求項１４】
前記蓄積工程は、予め設定された世代数分、前記取込工程で取り込んだウェブページを順次蓄積し、設定された世代数を超えると古いウェブページから削除することを特徴とする請求項１３に記載の文書出力装置の制御方法。
【請求項１５】
前記取込工程は、既に取り込み済みのウェブページの更新日時と前記周期設定工程で設定された周期情報に基づき取り込むべきウェブページの更新日時とを比較し、新しい場合に当該ウェブページの取り込みを実行することを特徴とする請求項１３または１４に記載の文書出力装置の制御方法。
【請求項１６】
前記ウェブページは、ＨＴＭＬ（Ｈｙｐｅｒ Ｔｅｘｔ Ｍａｒｋｕｐ Ｌａｎｇｕａｇｅ）形式であることを特徴とする請求項１３乃至１５のいずれかに記載の文書出力装置の制御方法。
【請求項１７】
請求項９乃至１６のいずれかに記載の文書出力装置の制御方法をコンピュータによって実行するためのプログラムを記憶するコンピュータ可読記憶媒体。
【手続補正２】
【補正対象書類名】明細書
【補正対象項目名】０００６
【補正方法】変更
【補正の内容】
【０００６】
【課題を解決するための手段】
上記目的を達成するため、本発明は次のような構成から成る。すなわち、コンピュータネットワークと接続された文書出力装置であって、前記コンピュータネットワーク上の所望のウェブページアドレスを設定するアドレス設定手段と、前記アドレス設定手段で設定されたアドレスのウェブページを取得するための周期を、予め用意された互いに異なる周期の複数の周期情報の中から選択する選択手段と、前記選択手段で選択された周期情報に応じた周期で前記アドレス設定手段において設定されたアドレスのウェブページを取り込む取込手段と、前記取込手段で取り込んだウェブページを印刷出力する出力手段とを備える。
【手続補正３】
【補正対象書類名】明細書
【補正対象項目名】０００７
【補正方法】変更
【補正の内容】
【０００７】
或いは、本発明は次のような構成から成る。すなわち、コンピュータネットワークと接続された文書出力装置であって、前記コンピュータネットワーク上の所望のウェブページアドレスを設定するアドレス設定手段と、前記アドレス設定手段で設定されたアドレスのウェブページを取得するための周期情報を設定する周期設定手段と、前記周期設定手段で設定された周期情報に応じた周期で前記アドレス設定手段において設定されたアドレスのウェブページを取り込む取込手段と、前記取込手段でウェブページを取り込むごとに追加しつつ蓄積する蓄積手段と、前記蓄積手段で蓄積したウェブページのうち、所望のタイミングで取り込んだウェブページを選択する選択手段と、前記選択手段で選択されたウェブページを印刷出力する出力手段とを備える。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】